(57)【要約】  本発明は、航洋船用の船体であって、右舷側の船体側面（２）と、左舷側の船体側面（８）と、甲板（４）とを有し、舳先（３）がほぼ鉛直方向に延び、球状船首（６）が舳先（３）に隣接して船体側面（２，８）と一体化され、それによって、舳先（３）と球状船首（６）との交点（３０）が球状船首（６）の前方に最も突き出た部分（６０）に隣接して位置する船体において、球状船首（６）は、最大鉛直長さが０．９設計喫水＜Ｄ＜１．１設計喫水の範囲内であり、前部の曲率半径（Ｒ）が０．２設計喫水＜Ｒ＜０．２５設計喫水の範囲内である球状船首の形で設けられ、球状船首（６）より上の各船体側面（２，８）は、１０度＜γ＜２０度の範囲内にある鋭角な水線入射角度（γ）を形成することを特徴とする。
2012517931.tif 000002
【特許請求の範囲】
【請求項１】
右舷側の船体側面（２）と左舷側の船体側面（８）と甲板（４）とを備えるとともに、ほぼ鉛直方向に延びている舳先（３）を有し、球状船首（６）が、前記舳先（３）に隣接する前記右舷側の船体側面（２）および前記左舷側の船体側面（８）と一体化され、それによって前記舳先（３）と前記球状船首（６）との交点（３０）の位置が、前記球状船首（６）の前方に最も突き出た部分（６０）に隣接して位置する、航洋船用の船体において、
前記球状船首（６）は、設計喫水の０．９倍よりも大きく設計喫水の１．１倍よりも小さい範囲内にある前記球状船首の最大鉛直長さ（Ｄ）と、設計喫水の０．２倍よりも大きく設計喫水の０．２５倍よりも小さい範囲内にある、前記球状船首（６）の前方部分における曲率半径（Ｒ）と、を有する球状の形であり、前記球状船首（６）より上側の前記各船体側面（２，８）は、１０度よりも大きく２０度よりも小さい範囲内にある鋭角な水線入射角度（γ）を形成していることを特徴とする船体。
【請求項２】
鉛直面（Ｐ）内の前記球状船首（６）の曲率半径（ｒ）は船幅の０．１３倍よりも大きく船幅の０．１６倍よりも小さい範囲内にあることを特徴とする、請求項１に記載の船体。
【請求項３】
前記球状船首（６）より上側の前記各船体側面（２，８）は、鉛直面（Ｐ）に関して、０度よりも大きく３０度よりも小さい間隔、好ましくは５度から２５度までの間隔内にある比較的鋭い角度（β）を形成するように上向きに延びていることを特徴とする、請求項１または２に記載の船体。
【請求項４】
前記舳先（３）は、鉛直線に関して−１０度よりも大きく＋１０度よりも小さい範囲内にある角度（α）を形成するように延びていることを特徴とする、請求項１から３のいずれか１項に記載の船体。
【請求項５】
前記舳先（３）と前記球状船首（６）との前記交点（３０）は、０以上で前記曲率半径（Ｒ）の０．１倍よりも小さい範囲の距離（Ｘ）の中に配置されており、前記距離（Ｘ）は、前記球状船首（６）の最前面（６０）の鉛直接線と、前記球状船首（６）と前記舳先（３）の間の交差点である最前点（３０）を通る鉛直線と、の間に形成されていることを特徴とする、請求項１から４のいずれか１項に記載の船体。
【請求項６】
右舷側の船体側面（２）と左舷側の船体側面（８）と甲板（４）とを備えるとともに、ほぼ鉛直方向に延びている舳先（３）を有し、球状船首（６）が、前記舳先（３）に隣接する前記右舷側の船体側面（２）および前記左舷側の船体側面（８）と一体化され、それによって前記舳先（３）と前記球状船首（６）との交点（３０）の位置が、前記球状船首（６）の前方に最も突き出た部分（６０）に隣接して位置する、航洋船用の船体の製造方法であって、
前記球状船首（６）は、設計喫水の０．９倍よりも大きく設計喫水の１．１倍よりも小さい範囲内にある前記球状船首の最大鉛直長さ（Ｄ）と、設計喫水の０．２倍よりも大きく設計喫水の０．２５倍よりも小さい範囲内にある、前記球状船首（６）の前方部分における曲率半径（Ｒ）と、を有する球状の形で設けられ、前記球状船首（６）より上側の前記各船体側面（２，８）は、１０度よりも大きく２０度よりも小さい範囲にある鋭角な水線入射角度（γ）を形成することを特徴とする方法。
【請求項７】
鉛直面（Ｐ）内の前記球状船首（６）の曲率半径（ｒ）は船幅の０．１３倍よりも大きく船幅の０．１６倍よりも小さい範囲内で設けられることを特徴とする、請求項６に記載の方法。
【請求項８】
前記球状船首（６）より上側の前記各船体側面（２，８）は、鉛直面（Ｐ）に関して、０度よりも大きく３０度よりも小さい間隔、好ましくは５度から２５度までの間隔内にある比較的鋭い角度（β）を形成するように上向きに延びるように設けられることを特徴とする、請求項６または７に記載の方法。
【請求項９】
前記舳先（３）は、鉛直線に関して−１０度よりも大きく＋１０度よりも小さい範囲内にある角度（α）を形成するように延びるように設けられることを特徴とする、請求項６から８のいずれか１項に記載の方法。
【請求項１０】
前記舳先（３）と前記球状船首（６）との交点（３０）は、０以上で前記曲率半径（Ｒ）の０．１倍よりも小さい範囲の距離（Ｘ）に設けられ、前記距離（Ｘ）は、前記球状船首（６）の最前面（６０）の鉛直接線と、前記球状船首（６）と前記舳先（３）の交点である最前点（３０）を通る鉛直線と、の間に形成されることを特徴とする、請求項６から９のいずれか１項に記載の方法。
【発明の詳細な説明】
【技術分野】
【０００１】
右舷側の船体側面と左舷側の船体側面と甲板とを有し、球状船首が両船体側面と一体化されるとともに舳先とも一体化された航洋船用の船体。
【背景技術】
【０００２】
たとえば、特開昭６１−１６６７８３号公報に示されているように、球状船首（バルバス・バウ）を使用して非滑水型（ｎｏｎ−ｐｌａｎｉｎｇ  ｔｙｐｅ）の航洋船の流れ抵抗を弱めることは公知である。球状船首の使用に関連して多数の異なる公知の構成／形状があるが、大部分の概念では、一般に、その球状船首が喫水船の下方に突き出ており、船首部分が、球状部の上方へ、すなわち船尾の方へ傾斜した第１の中央部の所で湾曲しており、第１の中央部の後方に、舳先の方へ傾斜した上部舳先部に連続する湾曲した凹状の舳先部を有する他の中央部が位置している。球状船首用のこの設計思想は一般に受け入れられており、数十年間使用されている。
【０００３】
しかしながら、一般的な球状船首構成から逸脱した多くの設計概念が試行されているが、実際に成功してはいない。さらに、従来の球状船首を使用せずに、流れ抵抗特性の改善を目的とする多数の構成が提案されている。たとえば、国際特許出願公開第００１７０４２号は、平底船の流れ条件を改善することを目的とする比較的新しい種類の概念を提示しており、修正された種類の「球状船首」を使用することが提案されている。
【０００４】
さらに、ヨーロッパ特許第１３１４６３９号明細書は、舳先がほぼ鉛直方向に延び、球状船首が舳先に隣接して両船体側面と一体化され、舳先と球状船首との交差位置が球状船首の最も前方まで突き出た部分に隣接して位置する航洋船用の船体を提示している。流れ条件を改善する可能性のある新しい設計概念を見つける多数の異なる試みを示す多くの他の様々な構成が公知である。
【発明の概要】
【発明が解決しようとする課題】
【０００５】
本発明の目的は、航洋船用の流れ条件を改善し、請求項１による航洋船用の船体によって実現される新しい設計概念を提供することである。
【課題を解決するための手段】
【０００６】
この新しい設計概念によって、船舶の設計喫水線の全長がよりうまく活用され、流れ抵抗が弱まる。ほぼ鉛直な舳先が本来公知であることを考慮すれば、この新しい概念は一見したところでは些細な概念に思えるかもしれないが、実現される複合的な利点を考慮すると、本発明の相乗結果が当業者にとって驚くべき結果とみなさなければならないものであることは明白である。
【図面の簡単な説明】
【０００７】
【図１】本発明による船舶の一部の側面図である。
【図２】図１の線ＩＩ−ＩＩに沿った水平断面図である。
【図３】図１の線ＩＩＩに沿った鉛直断面図である。
【図４】図１の線ＩＶ−ＩＶに沿った鉛直断面図である。
【図５】図１の線Ｖ−Ｖに沿った鉛直断面図である。
【図６】図１の線ＶＩ−ＶＩに沿った水平断面図である。
【図７】本発明による船舶の修正側面図である。
【図８】本発明による他の変形実施形態を示す図である。
【発明を実施するための形態】
【０００８】
図１には、前部の所で舳先３によって結合された右舷側の船体側面２および左舷側の船体側面８を有する、本発明に係る船舶１の前部が示されている。底部は、平坦であるか、あるいは船底勾配を有し、所定のビルジ半径の所でビルジと合体している。容積中心６Ｃを有する球状船首６が、船舶１の意図された喫水線５、すなわち設計喫水Ｄより下で（または喫水線５の高さから始まるように）舳先３と一体化されて配置されている。球状船首６の容積中心６Ｃは、船底線および意図された喫水線５の間の中央の線に隣り合う海水面上に位置しており、舳先３と船底線との間の遷移ゾーン内に、少なくとも設計喫水Ｄの１／３より大きく、好ましくは約Ｄ±１０％である、大きい半径ｒｆ（図１と同様に側面から見たときの球状船首の底部周囲の半径）を有している。球状船首は、右舷側の船体側面２に沿って延びる第１の半部６Ａと左舷側の船体側面８に沿って延びる第２の半部６Ｂとによって形成されている。２つの半部６Ａ，６Ｂは、船舶１の鉛直中心面Ｐに対して対称的に延びている。
【０００９】
舳先３は、ほぼ鉛直方向に延びており、球状船首６の容積中心６Ｃの前方の位置３０で、好ましくはまた図１の実施形態に示されているように球状船首６の前方に最も突き出た部分６０にほぼ相当する位置で、舳先３が球状船首６に結合されるように、球状船首６に対して位置している。
【００１０】
船舶１の長さＬ、すなわちＬｐｐに関して（Ｌｐｐは、Ａｐ（船尾の鉛直面）からＦｐ（船首の鉛直面）までの長さであり、Ｆｐは通常、舳先３が球状船首に当接する点とみなされる）、球状船首の長さＣは通常、Ｌ×０．０３５＜Ｃ＜Ｌ×０．０５の範囲内である。球状船首の最大鉛直長さＤは通常、設計喫水×０．９＜Ｄ＜設計喫水×１．１の範囲内である。（船舶１の設計喫水は、基準線と設計喫水線との間の距離である）。
【００１１】
図２には、船舶１についての、図１の線ＩＩ−ＩＩに沿った水平断面図が示されている。この断面図は、球状船首６の前部の曲率半径Ｒが通常、０．２×設計喫水＜Ｒ＜０．２５×設計喫水の範囲内であることを示している。また、図２は、球状船首６の船尾側に、船体側面２，８が、水平面において分岐するように配置されていることを示している。
【００１２】
図６は、図１の線ＶＩ−ＶＩに沿った水平断面図、すなわち、図２に示されている断面図より上方の断面図を示している。ここでは、各船体側面２，８を鉛直面Ｐに対する鋭角の水線入射角γを有するように配置することによって舳先３が比較的鋭角に形成されることが明確に示されている。通常、舳先３の各船体側面２，８の水線角度γは１０度＜γ＜２０度の範囲内である。船体側面２，８より下の、舳先３の近くで、球状船首部６Ａ、６Ｂが船体側面２，８によって区画される領域の外側に突き出ていることに留意されたい。
【００１３】
図３には、船舶１の、図１中の線ＩＩＩ−ＩＩＩに沿った断面図が示されている。この断面図は、鉛直面Ｐ内の球状船首の曲率半径ｒが通常、０．１３×船幅＜ｒ＜０．１６×船幅の範囲内であることを示している（船幅とは最も広い点または船舶の長さの中点での船舶の幅である）。また、この断面図は、本発明の好ましい実施形態によれば、球状船首６より上方の船体側面２，８が鉛直面Ｐに対して比較的鋭い角度β、たとえば５°〜２５°で延びていることを示している。すなわち、いくつかの実施形態では、角度βは、少なくとも部分的に零に近く、すなわち、荒れた海で船舶１の船首底衝撃（ｐｏｕｎｄｉｎｇ）を低減させるうえで有利である場合があるほぼ鉛直の船体側面２，８を形成する角度であってよい。図４に示されている断面図は、船体側面２，８が船体中央部に近づくにつれてより鋭い角度βで延びていること、すなわち、この実施形態では角度βが前部の近くではより鈍角になることを示している。
【００１４】
図５は、上向きに分岐し、それによって、たとえばより広い甲板面４を形成するように配置された船体側面２，８を有する、球状選手の後方の断面構成を示している。
【００１５】
本発明による構成によって多数の相乗的な利点が得られる。第１に、船体側面２，８と一緒に比較的鋭い角度γを形成するほぼ鉛直な舳先３を使用すると、小さい抵抗によって、特に波に当たることに関して水を制動することが可能になる。この利点は、鋭角に形成された鉛直な船体側面２，８を使用することによって向上し、したがって、波に当たることによって生じる反力が船舶１の推進力の方向に及ぼす影響が弱くなる。さらに、球状船首６は、船舶１の流れ抵抗を改善する流れパターンを喫水線５より下に形成するのを助ける。最後に、舳先３を球状船首の前部６０とほぼ揃うように位置させると、従来のように球状船首を位置させる場合と比べて喫水線が長くなり、船舶１の流れ抵抗に対して良い影響をもたらす。
【００１６】
したがって、本発明による構成は、細長い喫水線を有し、それによって、海水に面する容積の潜水が時間の経過とともに分散され、減速力がかなり弱くなる船首を実現する。この解決策は波の反射を弱めて波による船首底衝撃（ｓｌａｍｍｉｎｇ）を無くし、向い波での速度損失が、たとえば内部容積の分散が向上することによって著しく少なくなる。
【００１７】
この構成は、たとえば、加速および減速の回数の減少、甲板上の青波の量の削減、船首および上部構造の前部バルクヘッドへの悪天候時の損傷のリスクの最小化、安全性および作業性の改善に結びつく船上の作業環境の改善、騒音および振動の低減、並びに船首の平滑化など、多数の利点をもたらす。
【００１８】
【表１】
2012517931.tif 000003
【００１９】
表１は、比較試験の結果を示している。
【００２０】
表１を見ると分かるように、本発明による構成によって顕著な利点が得られる。簡単に言えば、従来の船首で波浪中速度を０．１ノット上げる（すなわち、速度損失を補償する）には、１２ノットにおいて３．５％高い投入動力である３６ｋＷがさらに必要である。したがって、この新しい構成は、燃料消費量を著しく低減させ、コストの節約および貯蔵量の増加をもたらす。
【００２１】
図７には、舳先３を鉛直線からわずかにずれた角度αで配置することができ、また、舳先３が球状船首６と合流する位置３０を球状船首６の前部６０に対してわずかに、より好ましくは０．１Ｒより小さいＸ、ずらすことができることが示されている。
【００２２】
図８には、本発明による他の変形実施形態が示されており、この場合、舳先３はやはり鉛直線からわずかにずれているが、図７の実施形態とは逆の方向の角度でずれている。また、図８には、舳先３と球状船首６の合流点３０も図７とは逆方向に広がりＸだけずれてよいことが示されている。図７および８が、図１に示されている好ましい実施形態から逸脱した実施形態を示していることは明白であるが、この場合も本発明による実質的な利点が得られる。
【図１】
2012517931.tif 000004
【図２】
2012517931.tif 000005
【図３】
2012517931.tif 000006
【図４】
2012517931.tif 000007
【図５】
2012517931.tif 000008
【図６】
2012517931.tif 000009
【図７】
2012517931.tif 000010
【図８】
2012517931.tif 000011
【国際調査報告】
2012517931.tif 000012
2012517931.tif 000013
2012517931.tif 000014